【手続補正書】
【提出日】平成17年8月5日(2005.8.5)
【手続補正１】
【補正対象書類名】特許請求の範囲
【補正対象項目名】全文
【補正方法】変更
【補正の内容】
【特許請求の範囲】
【請求項１】
複数のプロセッサを含む複数のリソース、
前記複数のプロセッサを相互接続する分散化されたポイント・ツー・ポイント伝送インフラストラクチャ、および
前記複数のリソースを少なくとも１つのパーティションにコンフィギャする少なくとも１つのパーティショニングプロセッサであって、それぞれのパーティションは、前記複数のリソースのサブセットを備え、前記少なくとも１つのパーティショニングプロセッサは、以前に特定されたパーティショニングスキーマにしたがって前記プロセッサに関連付けられた複数のルーティングテーブルのうちの少なくとも１つに書き込むことによって前記リソースをコンフィギャするよう動作可能であり、それぞれのルーティングテーブルは関連付けられたプロセッサおよび前記複数のプロセッサのうちの他のプロセッサの間のリンクを表し、前記リンクは前記ポイント・ツー・ポイント伝送インフラストラクチャの部分に対応する、少なくとも１つのパーティショニングプロセッサ
を備えるコンピュータシステム。
【請求項２】
請求項１に記載のコンピュータシステムであって、前記複数のリソースは、メモリデバイス、メモリ範囲、Ｉ／Ｏバス、Ｉ／Ｏバスに接続されたＩ／Ｏデバイス、およびルーティング割り込みのための割り込みメカニズムのうちの少なくとも１つを含むコンピュータシステム。
【請求項３】
請求項１に記載のコンピュータシステムであって、前記複数のリソースは、Ｉ／Ｏスイッチを含み、関連付けられた前記ルーティングテーブルのうちの１つを持つ前記Ｉ／Ｏスイッチは、前記Ｉ／Ｏスイッチ、前記プロセッサのうちの少なくとも１つ、および少なくとも１つのＩ／Ｏリソースの間のリンクを表すコンピュータシステム。
【請求項４】
請求項１に記載のコンピュータシステムであって、それぞれのルーティングテーブルはエントリ群のテーブルを備え、前記エントリ群の選択されたもののうちのそれぞれは、前記リソースのうちの１つのアドレスを、前記プロセッサのうちの１つおよび前記プロセッサのうちの前記１つと接続するリンクに関連付けるコンピュータシステム。
【請求項５】
請求項１に記載のコンピュータシステムであって、前記分散化されたポイント・ツー・ポイント伝送インフラストラクチャはコヒーレントハイパートランスポート（ｃＨＴ）インフラストラクチャを備えるコンピュータシステム。
【請求項６】
請求項１に記載のコンピュータシステムであって、前記分散化されたポイント・ツー・ポイント伝送インフラストラクチャは、前記プロセッサをリングトポロジとメッシュトポロジとのうちの一方を用いて相互接続するコンピュータシステム。
【請求項７】
請求項１に記載のコンピュータシステムであって、前記分散化されたポイント・ツー・ポイント伝送インフラストラクチャは、前記プロセッサのそれぞれを前記プロセッサの他のそれぞれに直接に接続するコンピュータシステム。
【請求項８】
請求項１に記載のコンピュータシステムであって、前記少なくとも１つのパーティショニングプロセッサは、前記分散化ポイント・ツー・ポイント伝送インフラストラクチャによって相互接続された前記複数のプロセッサのうちの少なくとも１つを備えるコンピュータシステム。
【請求項９】
請求項１に記載のコンピュータシステムであって、前記少なくとも１つのパーティショニングプロセッサは、前記分散化されたポイント・ツー・ポイント伝送インフラストラクチャによって相互接続された前記複数のプロセッサから分離されているコンピュータシステム。
【請求項１０】
請求項９に記載のコンピュータシステムであって、前記コンピュータシステムの初期化を促進するブートメモリをさらに備え、前記ブートメモリは、前記複数のプロセッサのうちの少なくとも１つの、前記少なくとも１つのパーティショニングプロセッサとしての動作を促進する、その中に記憶されたコンピュータプログラムインストラクションを有するコンピュータシステム。
【請求項１１】
請求項１に記載のコンピュータシステムであって、前記以前に特定されたパーティショニングスキーマは、前記コンピュータシステムの動作中に起こるイベントに応答して生成されるコンピュータシステム。
【請求項１２】
請求項１１に記載のコンピュータシステムであって、前記イベントは、前記コンピュータシステムの初期化、前記リソースのうちの少なくとも１つの故障、前記リソースのうちの少なくとも１つと関連付けられた動作負荷の変化、時間の経過、特定のソフトウェアの使用、および利用可能な電源リソースの変化のうちの１つを含むコンピュータシステム。
【請求項１３】
請求項１に記載のコンピュータシステムであって、前記少なくとも１つのパーティショニングプロセッサをユーザインタフェースに接続する少なくとも１つのパーティショニングプロセッサリンクをさらに備え、前記以前に特定されたパーティショニングスキーマは、前記コンピュータシステムのユーザによって前記ユーザインタフェースおよび前記少なくとも１つのパーティショニングプロセッサリンクを介して特定されるコンピュータシステム。
【請求項１４】
請求項１に記載のコンピュータシステムであって、前記少なくとも１つのパーティショニングプロセッサは、前記コンピュータシステムの初期化のときに前記ルーティングテーブルを生成するよう動作可能であるコンピュータシステム。
【請求項１５】
請求項１に記載のコンピュータシステムであって、前記少なくとも１つのパーティショニングプロセッサは、前記コンピュータシステムの動作中に前記ルーティングテーブル群のうちの前記少なくとも１つのルーティングテーブルを改変するよう動作可能であるコンピュータシステム。
【請求項１６】
請求項１に記載のコンピュータシステムであって、前記少なくとも１つのパーティションは、複数のパーティション群を備えるコンピュータシステム。
【請求項１７】
請求項１６に記載のコンピュータシステムであって、前記複数のパーティションのうちの少なくとも１つは、前記複数のリソースの機能的サブセットを備えるコンピュータシステム。
【請求項１８】
請求項１に記載のコンピュータシステムであって、前記少なくとも１つのパーティションは、前記複数のリソースのうちの全ての動作中のものを含む単一のパーティションを備えるコンピュータシステム。
【請求項１９】
請求項１に記載のコンピュータシステムであって、前記少なくとも１つのパーティショニングプロセッサは、１つのパーティショニングプロセッサを備えるコンピュータシステム。
【請求項２０】
請求項１に記載のコンピュータシステムであって、前記少なくとも１つのパーティショニングプロセッサは、１つより多いパーティショニングプロセッサを備えるコンピュータシステム。
【請求項２１】
複数のプロセッサおよび前記複数のプロセッサを相互接続する分散化されたポイント・ツー・ポイント伝送インフラストラクチャを含む複数のリソースを有するコンピュータシステムにおいて用いられるコンピュータによって実現される方法であって、前記方法は、  前記複数のリソースを少なくとも１つのパーティションにコンフィギャすることを含みえ、それぞれのパーティションは、前記複数のリソースのサブセットを備え、前記リソースの前記コンフィギャすることは、以前に特定されたパーティショニングスキーマにしたがって前記プロセッサに関連付けられた複数のルーティングテーブルのうちの少なくとも１つに書き込むことによって実現され、それぞれのルーティングテーブルは関連付けられたプロセッサおよび前記複数のプロセッサのうちの他のプロセッサの間のリンクを表し、前記リンクは前記ポイント・ツー・ポイント伝送インフラストラクチャの部分に対応する方法。
【請求項２２】
請求項２１に記載の方法であって、前記複数のリソースは、Ｉ／Ｏスイッチを含み、関連付けられた前記ルーティングテーブルのうちの１つを持つ前記Ｉ／Ｏスイッチは、前記Ｉ／Ｏスイッチ、前記プロセッサのうちの少なくとも１つ、および少なくとも１つのＩ／Ｏリソースの間のリンクを表す方法。
【請求項２３】
請求項２１に記載の方法であって、前記複数のリソースをコンフィギャすることは、前記分散化ポイント・ツー・ポイント伝送インフラストラクチャによって相互接続された前記複数のプロセッサのうちの少なくとも１つを備える少なくとも１つのパーティショニングプロセッサを用いて達成される方法。
【請求項２４】
請求項２１に記載の方法であって、前記複数のリソースをコンフィギャすることは、前記分散化されたポイント・ツー・ポイント伝送インフラストラクチャによって相互接続された前記複数のプロセッサから分離されている少なくとも１つのパーティショニングプロセッサを用いて達成される方法。
【請求項２５】
請求項２１に記載の方法であって、前記コンピュータシステムの動作中に起こるイベントに応答して前記以前に特定されたパーティショニングスキーマを生成することをさらに含み、
前記イベントは、前記コンピュータシステムの初期化、前記リソースのうちの少なくとも１つの故障、前記リソースのうちの少なくとも１つと関連付けられた動作負荷の変化、時間の経過、特定のソフトウェアの使用、および利用可能な電源リソースの変化のうちの１つを含む方法。
【請求項２６】
請求項２１に記載の方法であって、前記コンピュータシステムのユーザによって特定された前記以前に特定されたパーティショニングスキーマを受け取ることをさらに含む方法。
【請求項２７】
請求項２１に記載の方法であって、前記複数のルーティングテーブルのうちの前記少なくとも１つに書き込むことは、前記コンピュータシステムの初期化のときに前記複数のルーティングテーブルを生成することと、前記コンピュータシステムの動作中に前記ルーティングテーブル群のうちの前記少なくとも１つのルーティングテーブルを改変することと、のうちの一方を含む方法。